(57)【要約】【課題】  スクリーンセーバ用の広告情報として配信された情報が実際に閲覧され利用されているか調べることができ、広告依頼者が広告効果を予想でき、安心して広告依頼を行うことができる広告配信システムを提供する。【解決手段】  広告情報を配信する広告配信サーバと、広告情報を受信するユーザ側の通信端末とがネットワークを介して接続され、広告配信サーバは、スクリーンセーバとしての広告情報を前記通信端末に配信する手段と、通信端末が受信したスクリーンセーバとしての広告情報を、スクリーンセーバ起動の際に表示させ利用しているか否かを監視する利用監視手段とを有し、通信端末は、広告配信サーバから配信されたスクリーンセーバとしての広告情報をスクリーンセーバ起動の際に表示させ利用する手段と、スクリーンセーバとしての広告情報を、スクリーンセーバ起動の際に表示させ利用したことを示す情報を広告配信サーバに送信する手段とを有する。【選択図】        図１
2007109196.tif 000002
【特許請求の範囲】
【請求項１】
広告情報を配信する広告配信サーバと、前記広告情報を受信するユーザ側の通信端末とが、ネットワークを介して接続された広告配信システムであって、
前記広告配信サーバは、スクリーンセーバとしての広告情報を前記通信端末に配信する手段と、前記通信端末が受信したスクリーンセーバとしての広告情報を、スクリーンセーバ起動の際に表示させ利用しているか否かを監視する利用監視手段とを有し、
前記通信端末は、前記広告配信サーバから配信されたスクリーンセーバとしての広告情報をスクリーンセーバ起動の際に表示させ利用する手段と、前記スクリーンセーバとしての広告情報を、スクリーンセーバ起動の際に表示させ利用したことを示す情報を前記広告配信サーバに送信する手段とを有することを特徴とする広告配信システム。
【請求項２】
前記広告配信サーバは、前記スクリーンセーバとしての広告情報をスクリーンセーバ起動の際に表示させ利用しているユーザに対して、サービスを提供する手段を有していることを特徴とする請求項１記載の広告配信システム。
【請求項３】
前記広告配信サーバは、前記通信端末にアンケート情報を送信する手段と、前記アンケート情報の回答情報に基づいて、前記スクリーンセーバとしての広告情報の広告内容を選択する手段を有していることを特徴とする請求項１記載の広告配信システム。
【請求項４】
前記広告配信サーバは、前記通信端末から前記スクリーンセーバとしての広告情報をスクリーンセーバ起動の際に表示させ利用したことを示す情報を受信した場合に、その広告情報を表示させた回数を広告表示履歴情報データベースに登録する手段を有していることを特徴とする請求項１記載の広告配信システム。
【発明の詳細な説明】
【技術分野】
【０００１】
本発明は、広告情報を配信する広告配信サーバと、前記広告情報を受信するユーザ側の通信端末とが、ネットワークを介して接続された構成からなる広告配信システムに関する。
【背景技術】
【０００２】
従来、パソコン等の通信端末には、表示部の画面の焼き付きを防止するためのソフトウェアとしてスクリーンセーバが搭載されている。
このスクリーンセーバが搭載された通信端末では、ユーザによって設定された所定時間にキーボードやマウスなどによる操作が行なわれない場合に、スクリーンセーバが自動的に起動して、画面の表示を消去させた状態にしたり、予め設定された内容の動画画面に切り替えて待機状態にさせることで、同じ表示画面が継続的に長時間に亘って表示状態とならないようにして画面の焼き付きが発生することを防止している。
【０００３】
このようなスクリーンセーバ起動による待機状態の時間を有効に利用する手段として、その待機状態時に広告情報を表示させるシステムが提案されている。（例えば、特許文献１乃至３参照）
これらの広告システムでは、このシステム提供者が、広告依頼者から依頼された種々の広告情報を、サーバからユーザのパソコン等の通信端末にスクリーンセーバ用の広告情報として配信を行うことで、スクリーンセーバ起動時に広告の表示を行わせて、その広告依頼者から広告手数料を得ることにより広告ビジネスとして成り立っている。
しかしながら、サーバからユーザのパソコン等の通信端末に一方的にスクリーンセーバ用の広告情報として配信を行ったとしても、ユーザ側の通信端末において、実際にそれらの広告が表示されるように設定されているとは限らないために、広告依頼者が期待したようにユーザ側がスクリーンセーバ用の広告情報を閲覧しているのか不明であり、広告依頼に伴う広告手数料の金額が果たして適正価格であるのか判断できにくいという問題がある。
【０００４】
【特許文献１】特開２００２−１４９８５２号公報
【特許文献２】特開２００２−１６３５５６号公報
【特許文献３】特開２００３−６７３２５号公報
【発明の開示】
【発明が解決しようとする課題】
【０００５】
本発明は、サーバからパソコン等の通信端末にスクリーンセーバ用の広告情報として配信された情報が、ユーザ側の通信端末において実際に表示されてユーザが閲覧しているのか否かを調べることができるようにして、広告依頼者が広告効果を予想可能にすることで、安心して広告依頼を行うことができるようにした広告配信システムを提供する。
【課題を解決するための手段】
【０００６】
本発明の広告配信システムは、広告情報を配信する広告配信サーバと、前記広告情報を受信するユーザ側の通信端末とが、ネットワークを介して接続された広告配信システムであって、前記広告配信サーバは、スクリーンセーバとしての広告情報を前記通信端末に配信する手段と、前記通信端末が受信したスクリーンセーバとしての広告情報を、スクリーンセーバ起動の際に表示させ利用しているか否かを監視する利用監視手段とを有し、前記通信端末は、前記広告配信サーバから配信されたスクリーンセーバとしての広告情報をスクリーンセーバ起動の際に表示させ利用する手段と、前記スクリーンセーバとしての広告情報を、スクリーンセーバ起動の際に表示させ利用したことを示す情報を前記広告配信サーバに送信する手段とを有することを特徴とする。
【０００７】
また、本発明の広告配信システムは、前記広告配信サーバは、前記スクリーンセーバとしての広告情報をスクリーンセーバ起動の際に表示させ利用しているユーザに対して、サービスを提供する手段を有していることを特徴とする。
【０００８】
更に、本発明の広告配信システムは、前記広告配信サーバは、前記通信端末にアンケート情報を送信する手段と、前記アンケート情報の回答情報に基づいて、前記スクリーンセーバとしての広告情報の広告内容を選択する手段を有していることを特徴とする。
【０００９】
また、本発明の広告配信システムは、前記広告配信サーバは、前記スクリーンセーバと
前記広告配信サーバは、前記通信端末から前記スクリーンセーバとしての広告情報をスクリーンセーバ起動の際に表示させ利用したことを示す情報を受信した場合に、その広告情報を表示させた回数を広告表示履歴情報データベースに登録する手段を有していることを特徴とする。
【発明の効果】
【００１０】
本発明の広告配信システムは、広告配信サーバに、スクリーンセーバ起動の際にスクリーンセーバとしての広告情報を表示させ利用しているか否かを監視する手段を有しているので、ユーザ側の通信端末において実際に表示されてユーザが閲覧しているのか否かを調べることができるようにして、広告依頼者が広告効果を予想可能にすることで、安心して広告依頼を行うことができるという効果がある。
【００１１】
また、本発明の広告配信システムは、スクリーンセーバ起動の際にスクリーンセーバとしての広告情報を表示させることに承諾した場合に、ユーザに対してサービスが提供されるようにしてあるので、ユーザが、スクリーンセーバ起動の際に広告の表示が行われた場合でも納得して広告を受け入れるようにしてあるので、ユーザの心象を害することもなく広告効果が期待できるという効果がある。
【００１２】
更に、本発明の広告配信システムは、広告配信サーバが、ユーザに送信したアンケート情報の回答情報に基づいて、スクリーンセーバとしての広告情報の広告内容を選択することができるので、広告依頼者が期待する広告効果の高い内容の広告配信を行うことができるという効果がある。
【００１３】
また、本発明の広告配信システムにおいて、広告配信サーバが、通信端末からスクリーンセーバとしての広告情報をスクリーンセーバ起動の際に表示させ利用したことを示す情報を受信した場合に、その広告情報を表示させた回数を広告表示履歴情報データベースに登録する手段を有しているので、個々のユーザがどの程度、広告を見たのかを知らせることができ、広告効果を検証することができるという効果がある。
【発明を実施するための最良の形態】
【００１４】
以下、本発明の実施形態に係る広告配信システムを図面に基づいて詳細に説明する。
図１は、本発明の実施形態に係る広告配信システムの概要を説明する図、図２は、本発明の実施形態に係る広告配信システムに関するシステムブロック図、図３は、スクリーンセーバとしての広告情報が通信端末の画面で利用されている一例を示す図、図４は、有料コンテンツサービスを利用した際の明細内容であり、図４（ａ）は、本発明の広告配信システムを利用し、割引きサービスを受けた場合の明細内容の一例を示し、図４（ｂ）は、本発明の広告配信システムを利用しない場合の明細内容の一例を示す図、図５は、本発明の実施形態に係る広告配信システムの処理手順を示すフローチャート図である。
【００１５】
まず、本発明の実施形態に係る広告配信システムの概要を図１に基づいて説明する。
広告配信者側には、広告情報を配信する広告配信サーバ１が備えられ、広告情報を受信するユーザ側にはパソコン等の通信端末２が備えられ、ネットワーク３を介して広告配信サーバ１と通信端末２とが通信可能に接続されている。
ユーザに対して広告を配信することを依頼する広告依頼者４は、まず広告配信サーバ１を管理する広告配信者に対して広告依頼を行うことで、広告配信サーバ１からネットワーク３を介してユーザの通信端末２にスクリーンセーバとしての広告情報の配信を行ってもらうことになる。
また、広告配信者は、多くの広告依頼者４から広告依頼を受注することで広告料金を受け取り、広告ビジネスを行うことができる。
【００１６】
また、広告依頼者４から広告依頼を受けた広告配信者は、広告依頼者４が配信を希望する内容の広告をスクリーンセーバとしての広告情報として、ネットワーク３を介してユーザの通信端末２に対して配信する。
スクリーンセーバとしての広告情報が配信されるユーザは、予め広告配信者側にその広告情報配信サービスを受けることに承諾したユーザに限定して配信されるようにしてあり、予め承諾をもらっていないユーザに対しては、スクリーンセーバとしての広告情報が配信されない。
また、ユーザは、広告情報配信サービスを受けることに承諾する代わりに、有料コンテンツの利用料金の割引きサービスなどの予め定めた特典サービスが受けられるようにしてある。
広告配信者は、不特定多数の複数の広告依頼者４からの広告依頼を受けて、ネットワーク３を介し、広告情報配信サービスを受けることに承諾したユーザの通信端末２に対して、スクリーンセーバとしての広告情報の配信を行うことで広告依頼者から広告配信料を得るという広告ビジネスを行えるようにしてある。
【００１７】
また、本発明の広告配信システムでは、広告配信サーバ１からユーザの通信端末２に配信されたスクリーンセーバとしての広告情報が、ユーザ側の通信端末２において、実際にスクリーンセーバ起動の際に表示させ利用されているか否かを監視できるようにしてある。
そのために、ユーザの通信端末２から広告配信サーバ１に対して、スクリーンセーバとしての広告情報が利用されていることを示す情報が送信されるようにしてあり、これにより広告配信サーバ１において、配信されたスクリーンセーバとしての広告情報がどの程度実際に利用されているのかを調べることができるようにしてある。
これにより、広告情報配信サービスを受けることに承諾したユーザが、承諾したにもかかわらず、勝手にスクリーンセーバとしての広告情報が表示しないように設定変更した場合には、広告配信サーバ１側でそれを調べることができるようにしてある。
【００１８】
次に、本発明の実施形態に係る広告配信システムのシステム構成を、図２に示すシステムブロック図に基づいて説明する。
通信端末２には、表示手段５、広告情報表示制御手段６、記憶手段７、入力手段８、広告表示履歴情報送信手段９、通信手段１０、制御手段１１などが備えられている。
広告情報表示制御手段６は、広告配信サーバ１から配信されたスクリーンセーバとしての広告情報を、スクリーンセーバ起動時に表示手段５に表示させる機能を有している。
また、広告表示履歴情報送信手段９は、スクリーンセーバ起動時に表示手段５にスクリーンセーバとしての広告情報を表示させたことを示す広告表示履歴情報を、通信端末２から広告配信サーバ１に送信する機能を有している。
これにより、広告配信者側からにユーザ側に配信されたスクリーンセーバとしての広告情報が、実際に利用されているか否かを確認できるようにしてある。
【００１９】
次に、広告配信サーバ１には、アンケート情報送信手段１２、ユーザ情報登録手段１３、広告情報選択手段１４、通信手段１５、サービス提供手段１６、広告情報配信手段１７、広告表示履歴情報登録手段１８、広告情報利用監視手段１９、制御手段２０、ユーザ情報データベース２１、広告情報データベース２２、広告表示履歴情報データベース２３、広告表示回数登録手段２５などが備えられている。
アンケート情報送信手段１２は、ユーザからサービスの提供の要求があった際に、ユーザに対してアンケート情報を送信する機能を有している。
このアンケート情報としては、ユーザの生年月日、性別、職業、家族構成及び年齢、興味があること、などについて答えてもらうものであり、これらのアンケート情報の回答に基づいて、各々のユーザの興味などの個人情報を入手できるようにしてあり、これらの個人情報を広告配信の際の参考情報として役立てられるようにしてある。
【００２０】
ユーザ情報登録手段１３は、アンケート情報に対する回答をユーザ情報としてユーザ情報データベース２１に登録する機能を有している。
広告情報選択手段１４は、ユーザ情報データベース２１に登録されたユーザ情報に基づいて、広告情報データベース２２の中から各々のユーザ毎の興味などを参考にして、各ユーザに応じて広告効果の高い内容の広告情報を選択する機能を有している。
サービス提供手段１６は、広告情報配信サービスを受けることに承諾したユーザに対してサービスの提供を行う機能を有し、これらの提供サービスとして、有料コンテンツの割引きサービスなどがある。
【００２１】
広告情報配信手段１７は、広告情報データベース２２に登録されている広告情報の中から選択された広告情報をユーザの通信端末２に配信する機能を有している。
広告表示履歴情報登録手段１８は、広告表示履歴情報データベース２３に広告表示履歴情報を登録する機能を有している。
広告情報利用監視手段１９は、広告配信サーバ１からユーザの通信端末２に配信されたスクリーンセーバとしての広告情報が、ユーザ側の通信端末２において、実際にスクリーンセーバ起動の際に表示させ利用されているか否かを監視する機能を有している。
【００２２】
ユーザ情報データベース２１は、ユーザの個人情報や広告情報配信サービスを受けることに承諾しているのか否かなどの情報が登録されている。
広告情報データベース２２は、広告依頼者が配信を希望しているスクリーンセーバとしての広告情報が登録されている。
広告表示履歴情報データベース２３は、ユーザ毎に通信端末の画面に広告が表示されたことを示す履歴情報が登録される。
広告表示回数登録手段２５は、広告配信サーバが、通信端末からスクリーンセーバとしての広告情報をスクリーンセーバ起動の際に表示させ利用したことを示す情報を受信した場合に、その広告情報を表示させた回数を広告表示履歴情報データベースに登録する機能を有している。
【００２３】
図３には、スクリーンセーバとしての広告情報２４が通信端末の表示手段５の画面に表示されている一例が示されているが、広告情報は広告依頼者が自由に決めればよく、企業名、商品名、サービス名など様々な内容の表示をスクリーンセーバ起動時に表示させることができる。
【００２４】
また、スクリーンセーバとしての広告情報が配信されるユーザは、広告情報配信サービスを受けることに承諾する代わりに、予め定めた特典サービスを受けられるようにしてあるが、この特典サービスとして、図４に示すように、有料コンテンツサービスを利用した場合に割引きサービスがある。
広告情報配信サービスを受けることに承諾したユーザには、スクリーンセーバとしての広告情報が配信されるが、図４（ａ）に示すように、有料コンテンツの利用料金の請求金額において予め定めた金額（例えば３００円）が割り引かれた金額（４７００円）が利用明細として請求される。
これに対して、広告情報配信サービスを受けることに承諾しないユーザには、スクリーンセーバとしての広告情報が配信される際に、図４（ｂ）に示すように、有料コンテンツの規定の利用料金（５０００円）が請求金額として利用明細に記載されて請求される。
したがって、ユーザ側では、広告情報配信サービスを受けることに対して選択することができ、承諾したユーザには広告を見ることになるかわりに、有料コンテンツの利用料金の割引きなどの特典サービスが受けられるようにしてある。
【００２５】
次に、本発明の実施形態に係る広告配信システムの処理手順を、図５に示すフローチャート図に基づいて説明する。
まず、広告配信サーバ１から広告情報配信サービスを希望するユーザの通信端末２に対して、アンケート情報を送信する。（ステップＳ１）
ユーザは、アンケート情報の回答情報をユーザの通信端末２から広告配信サーバ１に送信する。（ステップＳ２）
広告配信サーバ１で受信したアンケート情報の回答情報を、ユーザ情報データベース２１に登録する。（ステップＳ３）
【００２６】
広告配信サーバ１は、ユーザ情報データベース２１に登録されているユーザ情報に基づいて、広告依頼者の広告目的に適応するユーザを選択する。（ステップＳ４）
次に、広告情報データベース２２に登録されている広告情報の中から選択された広告情報を、選択されたユーザの通信端末にスクリーンセーバ用として配信する。（ステップＳ５）
ユーザの通信端末２は、スクリーンセーバとしての広告情報をスクリーンセーバ起動時に表示手段の画面に表示させる。（ステップＳ６）
【００２７】
ユーザの通信端末２から広告配信サーバ１に対して、スクリーンセーバとしての広告情報をスクリーンセーバ起動時に表示させたことを示す広告表示履歴情報を送信する。（ステップＳ７）
広告配信サーバ１は、ユーザの通信端末２から受信した広告表示履歴情報を、広告表示履歴情報データベース２３に登録する。（ステップＳ８）
また、広告配信サーバが、通信端末からスクリーンセーバとしての広告情報をスクリーンセーバ起動の際に表示させ利用したことを示す情報を受信した場合に、その広告情報を表示させた回数も広告表示履歴情報データベースに登録する。
以上の処理により、スクリーンセーバとしての広告情報が利用されているのか否かを確認できるようにしてある。
【００２８】
また、広告情報配信サービスを受けることに承諾しているユーザは、特典として有料コンテンツの割引きサービスを受けることができるようにしてあり、ユーザが有料コンテンツを利用した場合には、利用明細を作成する際に予め設定された利用料金の割引きサービスを受けることができるようにしてある。
【００２９】
以上のように、本発明の広告配信システムは、広告情報配信サービスを受けることに承諾しているユーザが実際にスクリーンセーバとしての広告情報を利用しているのか確認でき、また、ユーザ側においては、スクリーンセーバ起動時に広告情報を見ることの代償として、特典サービスの提供を受けられるようにしてある。
また、広告配信サーバが、通信端末からスクリーンセーバとしての広告情報をスクリーンセーバ起動の際に表示させ利用したことを示す情報を受信した場合に、その広告情報を表示させた回数も広告表示履歴情報データベースに登録されるので、ユーザが広告を見たい回数も直ぐに調べることができる。
【図面の簡単な説明】
【００３０】
【図１】本発明の実施形態に係る広告配信システムの概要を説明する図である。
【図２】本発明の実施形態に係る広告配信システムに関するシステムブロック図である。
【図３】スクリーンセーバとしての広告情報が通信端末の画面で利用されている一例を示す図である。
【図４】有料コンテンツサービスを利用した際の明細内容であり、図４（ａ）は、本発明の広告配信システムを利用し、割引きサービスを受けた場合の明細内容の一例を示し、図４（ｂ）は、本発明の広告配信システムを利用しない場合の明細内容の一例を示す図である。
【図５】本発明の実施形態に係る広告配信システムの処理手順を示すフローチャート図である。
【符号の説明】
【００３１】
１  広告配信サーバ
２  通信端末
３  ネットワーク
４  広告依頼者
５  表示手段
６  広告情報表示制御手段
７  記憶手段
８  入力手段
９  広告表示履歴情報送信手段
１０  通信手段
１１  制御手段
１２  アンケート情報送信手段
１３  ユーザ情報登録手段
１４  広告情報選択手段
１５  通信手段
１６  サービス提供手段
１７  広告情報配信手段
１８  広告表示履歴情報登録手段
１９  広告情報利用監視手段
２０  制御手段
２１  ユーザ情報データベース
２２  広告情報データベース
２３  広告表示履歴情報データベース
２４  広告情報
２５  広告表示回数登録手段
【図１】
2007109196.tif 000003
【図２】
2007109196.tif 000004
【図３】
2007109196.tif 000005
【図４】
2007109196.tif 000006
【図５】
2007109196.tif 000007